(57)【要約】  本発明はモバイル器機用ペンホルダー及びそれを適用したモバイル器機ケースに関する。前記モバイル器機用ペンホルダーは、モバイル器機の辺縁で内方へ所定距離離隔された位置に固定される固定部と、前記固定部でモバイル器機の辺縁に向ける側からモバイル器機の辺縁向こうまで延長され、前記固定部を基準として折り畳み可能な延長部と、前記延長部で前記固定部の反対側に結合されてタッチペンが挿入されるホルディング部と、を含んでなる。それによって、モバイル器機用ペンホルダーがモバイル器機を使用する際に邪魔にならないようにすることができる。
2021509849.tif 000002
【特許請求の範囲】
【請求項１】
タッチペンを挿入することができるモバイル器機用ペンホルダーにおいて、
モバイル器機の辺縁で内方へ所定距離離隔された位置に固定される固定部と、
前記固定部でモバイル器機の辺縁に向ける側からモバイル器機の辺縁向こうまで延長され、前記固定部を基準として折り畳み可能な延長部と、
前記延長部で前記固定部の反対側に結合されてタッチペンが挿入されるホルディング部と、を含んでなることを特徴とするモバイル器機用ペンホルダー。
【請求項２】
前記延長部は第１磁石を備えることを特徴とする請求項１に記載のモバイル器機用ペンホルダー。
【請求項３】
前記第１磁石は前記延長部でモバイル器機と重なる位置に備えられることを特徴とする請求項２に記載のモバイル器機用ペンホルダー。
【請求項４】
前記第１磁石はモバイル器機の辺縁と平行する方向に沿って複数形成されることを特徴とする請求項２に記載のモバイル器機用ペンホルダー。
【請求項５】
前記固定部には第２磁石または金属片が備えられることを特徴とする請求項２に記載のモバイル器機用ペンホルダー。
【請求項６】
前記延長部は、前記延長部で前記固定部と隣接して位置する柔軟なソフト部と、前記延長部で前記ホルディング部と隣接して位置、硬性を有するハード部とを備えることを特徴とする請求項１に記載のモバイル器機用ペンホルダー。
【請求項７】
前記延長部は柔軟な材質からなり、前記ハード部に硬性のハード部材が付着されることを特徴とする請求項６に記載のモバイル器機用ペンホルダー。
【請求項８】
前記延長部は柔軟な材質の二重層からなり、前記ハード部に硬性のハード部材が埋立されることを特徴とする請求項６に記載のモバイル器機用ペンホルダー。
【請求項９】
前記ハード部には第１磁石が備えられることを特徴とする請求項６に記載のモバイル器機用ペンホルダー。
【請求項１０】
前記ホルディング部はタッチペンが挿入される空間を有するチューブ状に形成されることを特徴とする請求項１に記載のモバイル器機用ペンホルダー。
【請求項１１】
前記ホルディング部の長さ方向の両端部の中で少なくとも一端部には壁面の一部が除去されて形成されるスリットが備えられることを特徴とする請求項１０に記載のモバイル器機用ペンホルダー。
【請求項１２】
前記ホルディング部は前記延長部を基準として折り畳み可能であることを特徴とする請求項１に記載のモバイル器機用ペンホルダー。
【請求項１３】
前記固定部、前記延長部及び前記ホルディング部は柔軟な材質によって一体に形成されることを特徴とする請求項１に記載のモバイル器機用ペンホルダー。
【請求項１４】
モバイル器機の枠部分に固定される本体と、前記本体の一側で前記本体を基準として折り畳み可能に結合されるカバーとを含み、表面に前記請求項１〜１３のいずれか一項によるモバイル器機用ペンホルダーが固定されることを特徴とするモバイル器機ケース。
【請求項１５】
前記モバイル器機用ペンホルダーは前記カバーに固定されることを特徴とする請求項１４に記載のモバイル器機ケース。
【発明の詳細な説明】
【技術分野】
【０００１】
本発明はモバイル器機用ペンホルダー及びそれを適用したモバイル器機ケースに関し、より詳しくは、モバイル器機ケースの使用を阻害しないモバイル器機用ペンホルダー及びそれを適用したモバイル器機ケースに関する。
【背景技術】
【０００２】
最近、スマートフォンやタブレットＰＣのようなモバイル器機が普遍的に使用されている。モバイル器機は携帯の容易性のために薄型になる傾向であるが、それにより衝撃などによる破損の危険も高くなっている。
【０００３】
モバイル器機のケースはモバイル器機の破損の危険を低減することができる手段の一つであって、特にタブレットＰＣのケースは、モバイル器機の枠部分を囲む形態の本体と、前記本体の一側に本体に対して折り畳み可能に結合されて、モバイル器機のディスプレー部分を覆うカバーとからなる。前記本体はモバイル器機の後面と側面を保護し、モバイル器機が挿入されることができてケースがモバイル器機に堅固に結合された状態を保持することができるようにする。また、前記カバーはモバイル器機の前面のディスプレーを保護する以外にモバイル器機の使用時に立体的な形状を有するように複数回折られてモバイル器機が所定の角度で立てられることができるようにする。
【０００４】
一方、モバイル器機を作動させるためにはタッチチペンを用いる場合もあり、ケースに前記タッチペンを挟んで固定することができるペンホルダーが形成されたりする。
【０００５】
ところが、ペンホルダー、特にタッチペンが挿入された状態のペンホルダーはカバーを利用してモバイル器機を立てる際に邪魔になることがある。
【発明の概要】
【発明が解決しようとする課題】
【０００６】
そこで、本発明の目的は、このような従来の問題点を解決するために、モバイル器機を使用する際に邪魔にならないモバイル器機用ペンホルダー及びそれを適用したモバイル器機ケースを提供することにある。
【０００７】
また、タッチペンを容易に挿入したり抜くことができるモバイル器機用ペンホルダー及びそれを適用したモバイル器機ケースを提供することにある。
【課題を解決するための手段】
【０００８】
前記目的は、本発明によって、タッチペンを挿入することができるモバイル器機用ペンホルダーにおいて、モバイル器機の辺縁で内方へ所定距離離隔された位置に固定される固定部と、前記固定部でモバイル器機の辺縁に向ける側からモバイル器機の辺縁向こうまで延長され、前記固定部を基準として折り畳み可能な延長部と、前記延長部で前記固定部の反対側に結合されて、タッチペンが挿入されるホルディング部と、を含んでなることを特徴とするモバイル器機用ペンホルダーによって達成される。
【０００９】
前記延長部は第１磁石を備えることが好ましい。
【００１０】
前記第１磁石は前記延長部でモバイル器機と重なる位置に備えられることが好ましい。
【００１１】
前記第１磁石はモバイル器機の辺縁と平行する方向に沿って複数形成されることが好ましい。
【００１２】
前記延長部は、前記延長部で前記固定部と接して位置する柔軟なソフト部と、前記延長部で前記ホルディング部と接して位置し、硬性を有するハード部とを備えることが好ましい。
【００１３】
前記延長部は柔軟な材質からなり、前記ハード部に硬性のハード部材が付着されることができる。
【００１４】
前記延長部は柔軟な材質の二重層からなり、前記ハード部に硬性のハード部材が埋立されることができる。
【００１５】
前記ハード部には第１磁石が備えられることが好ましい。
【００１６】
前記ホルディング部はタッチペンが挿入される空間を有するチューブ形状からなることができる。
【００１７】
前記ホルディング部の長さ方向の両端部の中で少なくとも一端部には壁面の一部が除去されて形成されるスリットが備えられることが好ましい。
【００１８】
前記ホルディング部は前記延長部を基準として折り畳み可能であることが好ましい。
【００１９】
前記固定部、前記延長部及び前記ホルディング部は柔軟な材質によって一体に形成されることができる。
【００２０】
本発明のまた他の実施例によれば、モバイル器機の枠部分に固定される本体と、前記本体の一側で前記本体を基準として折り畳み可能に結合されるカバーと、を含み、表面に前記モバイル器機用ペンホルダーが固定されることを特徴とするモバイル器機ケースが提供される。
【００２１】
前記モバイル器機用ペンホルダーは前記カバーに固定されることが好ましい。
【発明の効果】
【００２２】
本発明によるモバイル器機用ペンホルダーによれば、モバイル器機を用いる時、モバイル器機用ペンホルダーがモバイル器機ケースの本体、カバーまたはモバイル器機と干渉しないので、モバイル器機用ペンホルダーによってモバイル器機の使用性が阻害されない。
【００２３】
前記モバイル器機用ペンホルダーにはタッチペンを容易に挿入したり抜くことができる。
【００２４】
前記モバイル器機用ペンホルダーは柔軟な材質の部材で非常に容易に製作することができる。
【図面の簡単な説明】
【００２５】
【図１】本発明によるモバイル器機用ペンホルダーの斜視図である。
【図２】前記モバイル器機用ペンホルダーの断面図である。
【図３】前記モバイル器機用ペンホルダーが適用されたモバイル器機とモバイル器機ケースの使用状態図である。
【図４】前記モバイル器機用ペンホルダーが適用されたモバイル器機とモバイル器機ケースの使用状態図である。
【図５】前記モバイル器機用ペンホルダーに第２磁石または金属片がさらに備えられる場合に関する説明図である。
【図６】他の実施例による前記モバイル器機用ペンホルダーの断面図である。
【発明を実施するための形態】
【００２６】
以下では、本発明の具体的な実施例について図面を参考して詳しく説明する。
【００２７】
本発明はモバイル器機用ペンホルダーに関し、モバイル器機の後面に固定されるかモバイル器機ケースに固定される。前記モバイル器機用ペンホルダーが適用されるモバイル器機ケースはモバイル器機の枠部分を囲む形態の本体２と、前記本体の一側で本体に対して折り畳み可能に結合されて、モバイル器機のディスプレー部分を覆うカバー３とからなるか、モバイル器機の枠部分に固定され、ディスプレー部分を覆うことができるカバーのみからなることができる。また、前記本体２はモバイル器機の枠部分のみを囲むように形成されることもでき、モバイル器機の枠部分と後面を囲むように形成されることもできる。
【００２８】
図１には本発明によるモバイル器機用ペンホルダー１の斜視図が図示されており、図２には前記モバイル器機用ペンホルダー１の断面図が図示されている。また、図３の  ａには前記モバイル器機用ペンホルダー１がモバイル器機に固定された状態の側面図が図示されており、図３のｂには前記モバイル器機用ペンホルダー１がモバイル器機ケースに固定された状態の側面図が図示されている。
【００２９】
本発明によるモバイル器機用ペンホルダー１は、固定部１０、延長部２０及びホルディング部３０を含んでなる。
【００３０】
固定部１０はモバイル器機またはモバイル器機ケースの表面に接合されて、モバイル器機用ペンホルダー１をモバイル器機などに固定させる部分で、モバイル器機などの表面の中でもモバイル器機の辺縁で内方へ所定距離離隔された位置に固定される。「モバイル器機の辺縁」は、固定部１０がモバイル器機に直接固定される時には文字とおりにモバイル器機の辺縁を指し、固定部１０がモバイル器機ケースに固定される時にはモバイル器機ケースでモバイル器機の辺縁と重なる位置を指す。
【００３１】
前記固定部１０はモバイル器機に磁石または両面テープなどによって固定されることができ、モバイル器機ケースに磁石、接着剤、両面テープまたは裁縫などによって固定されることができる。
【００３２】
延長部２０は前記固定部１０でモバイル器機の辺縁に向ける側からモバイル器機の辺縁向こうまで延長されて形成される。また、前記延長部２０は固定部１０を基準として折り畳み可能に形成されてモバイル器機などの表面に対して多様な角度を有することができる。
【００３３】
ホルディング部３０は前記延長部２０の他端部に結合され、モバイル器機用タッチペンＰが挿入されることができて、タッチペンＰをモバイル器機とともに保管することができるようにする。前記ホルディング部３０は、例えば、タッチペンＰの横断面に対応する大きさの内部空間を有するリング状などに形成されてタッチペンＰが挿入されることができる。
【００３４】
このような本発明のモバイル器機用ペンホルダー１は、タッチペンＰが挿入されるホルディング部３０がモバイル器機の辺縁外側に配置されるので、図３に示すように、モバイル器機Ｍを底面に置いて用いる時、タッチペンＰの直径によってモバイル器機Ｍが底面に平行に位置することができなくて傾斜されることを防止することができる。参考に、モバイル器機Ｍを使用しない場合には、カバー３がモバイル器機Ｍを基準として本体２の反対側に位置してモバイル器機Ｍのディスプレー部分を保護するが、図３のｂではモバイル器機を使用するために、モバイル器機のディスプレー部分が現われるようにカバー３が回動して本体２と重なるように位置したことが見られる。
【００３５】
また、固定部１０がモバイル器機の辺縁で内方へ離隔された位置に固定され、延長部２０がこのような固定部１０を基準として折り畳み可能に形成される。従って、図４に示すように、モバイル器機ケースのカバー３を複数回折って立体図形状に作って立体図形状になったカバー３がモバイル器機Ｍを支持するようにしてモバイル器機Ｍを底面に対して所定角度を有するように立てて使用する時、延長部２０とホルディング部３０が立体図形の内部に位置することができて、カバー３が安定した立体図形状をなすことができる。
【００３６】
固定部１０、延長部２０及びホルディング部３０は互いに別途の部材で形成されて連結されることもできるが、天然皮、合成皮革、合成ゴムまたは布などのように柔軟で薄くて、一つの部材を利用して一体に作ることもできる。
【００３７】
柔軟な材質の部材でモバイル器機用ペンホルダー１を作る場合、ホルディング部３０は柔軟な材質部材の端部を折って付着するか穿孔して形成することができる。柔軟な材質の部材は一重または複数重に形成されることができる。
【００３８】
延長部２０は第１磁石２１を備えることが好ましい。
【００３９】
モバイル器機の枠部分には金属または磁石で備えられることができ、モバイル器機のケースにはモバイル器機を使用しない時カバー３がモバイル器機Ｍのディスプレー部分に密着された状態を保持することができるようにモバイル器機の枠部分に付着されることができる磁石が備えられる。前記延長部２０の第１磁石２１は延長部２０が固定部１０に対して回動しないでモバイル器機などの表面に付着されることができるようにする。即ち、延長部２０の第１磁石２１はモバイル器機などの磁石との間に引力が作用するようにする。
【００４０】
第１磁石２１が備えられた延長部２０はモバイル器機を使用しない時にはモバイル器機などの表面に付着された状態を保持して、延長部２０とホルディング部３０が動きながら他の物体にかかって損傷されたりすることを防止することができる。また、モバイル器機用ペンホルダー１がモバイル器機ケースに適用される場合、モバイル器機を、図４のように立てて使用する時には、モバイル器機ケースの表面から外して延長部２０とホルディング部３０がモバイル器機ケースのカバー３が立体図形を形成するのに邪魔にならないようにすることができる。
【００４１】
前記第１磁石２１は延長部２０の中でもモバイル器機の辺縁内側に位置する部分に配置されて、モバイル器機などと重なるようにすることによって、モバイル器機などに形成された磁石との間に引力が効果的に作用することができるようにすることが好ましい。
【００４２】
モバイル器機の枠部分には複数の磁石が内蔵されることができ、この場合、隣接する複数の磁石は互いに反対する極がモバイル器機の表面を向けるように、即ち一磁石のＮ極がモバイル器機の内部に向け、Ｓ極がモバイル器機の表面を向ければ隣接した磁石はＳ極がモバイル器機の内部に向け、Ｎ極がモバイル器機の表面を向けるように配置されることができる。そして、このようなモバイル器機のためのモバイル器機ケースには複数の磁石が内蔵され、隣接する複数の磁石は互いに反対される極がモバイル器機ケースの表面を向けるように配置されて、モバイル器機で対応する位置の磁石との間に引力が発生するようにすることができる。従って、延長部２０の第１磁石２１もこれに合わせて形成されることが好ましい。即ち、延長部２０の第１磁石２１はモバイル器機の辺縁と平行する方向に沿って複数形成され、隣接して位置する磁石はモバイル器機やモバイル器機ケースに向ける極が互いに反対されるように配置される。そして延長部２０の各第１磁石２１はモバイル器機などで対向する位置に配置される磁石と互いに反対される極が対向するように配置される。それによって、モバイル器機などの各磁石と延長部２０の各第１磁石２１との間に引力が作用することができる。
【００４３】
モバイル器機の枠部分に内蔵された複数の磁石は所定の一極がモバイル器機の表面を向けるように配置され、このようなモバイル器機のためのモバイル器機ケースの磁石も所定の一極がモバイル器機ケースの表面を向けるように配置されることもできる。この場合、延長部２０の複数の第１磁石２１もこれに合わせて所定の一極がモバイル器機やモバイル器機ケースに向けるように配置されてモバイル器機などの各磁石と延長部２０の各第１磁石２１との間に引力が作用することができるようにしなければならない。
【００４４】
延長部２０が第１磁石２１を備える場合、固定部１０は第２磁石１１または金属片が備えられることができる。
【００４５】
前記第２磁石１１または金属片は、図５に示すように、延長部２０に形成された第１磁石２１との間に引力を発生させて固定部１０を基準として折られた状態の延長部２０が固定部１０に密着されるようにすることができる。延長部２０が折られた状態で固定部１０に固定される場合、図４のように、モバイル器機を立てて使用する時、延長部２０とホルディング部３０がモバイル器機ケースのカバー３が形成する立体図形と干渉することをより確実に防止することができる。
【００４６】
前記延長部２０はソフト部２２とハード部２３とからなることができる。図６にはこのような場合においてモバイル器機用ペンホルダー１の断面図が示されている。
【００４７】
ソフト部２２は延長部２０で固定部１０と接して位置し、柔軟に形成されて固定部１０に対して折り畳まれることができる。また、ハード部２３は延長部２０でホルディング部３０と接して位置し、硬性を有するように形成されて、延長部２０で折り畳みが必要な部分以外の部分が所定の形状を有することができるようにする。
【００４８】
ソフト部２２と接するハード部２３の辺縁によってソフト部２２の折り畳みはガイドされてソフト部２２が所定の方向に沿って、即ちモバイル器機の辺縁と平行する線に沿って折り畳まれることができる。また、ホルディング部３０と接するハード部２３の辺縁がホルディング部３０を支持し、ソフト部２２と接するハード部２３の辺縁がソフト部２２を支持するので、ホルディング部３０にタッチペンＰを挿入する時、延長部２０やホルディング部３０が変形されて損傷されることを防止することができる。
【００４９】
延長部２０は、図６のａに示すように、ソフト部２２とハード部２３が全体的に柔軟な材質の部材からなるが、ハード部２３の位置に硬性のハード部材２３ａが付着されることによってソフト部２２とハード部２３を備えることができる。
【００５０】
この場合、ハード部材２３ａが付着されないソフト部２２は柔軟な性質を保持し、ハード部材２３ａが付着されたハード部２３は硬性を有することができる。
【００５１】
前記ハード部材２３ａはプラスチックや金属などからなり、天然皮などの柔軟な材質の部材に接着剤などで付着されて、ソフト部２２とハード部２３を非常に容易に形成することができる。
【００５２】
延長部２０は、図６のｂに示すように、ソフト部２２とハード部２３が全体的に柔軟な材質の二重層部材からなり、ハード部２３の位置で二重層の間に硬性のハード部材２３ａが埋立されることによってソフト部２２とハード部２３を備えることも可能である。
【００５３】
この場合、図６のａの場合と同じく、ハード部材２３ａが埋立されないソフト部２２は柔軟な性質を保持し、ハード部材２３ａが埋立されたハード部２３は硬性を有することができる。
【００５４】
埋立されたハード部材２３ａは外部に露出されないので、モバイル器機用ペンホルダーの見掛けや肌触りを低下させない。
【００５５】
延長部２０はソフト部２２とハード部２３とからなる場合、ハード部２３には第１磁石２１が備えられることができる。
【００５６】
ハード部２３の第１磁石２１はモバイル器機などの磁石との間に引力が作用するようにして延長部２０が固定部１０に対して回動しないでモバイル器機などの表面に付着されることができるようにする。
【００５７】
第１磁石２１は硬性を有するので、同じく硬性を有するハード部２３に形成されることがソフト部２２の柔軟な性質を害しない側面で好ましい。
【００５８】
そして前記第１磁石２１はハード部２３の中でもソフト部２２と隣接した位置に位置してモバイル器機などの磁石との間に引力が効果的に作用することができるようにすることが好ましい。
【００５９】
前記ホルディング部３０はタッチペンＰが挿入される空間を有するチューブ状に形成されることができる。
【００６０】
このようなホルディング部３０はモバイル器機用ペンホルダーを天然皮などのような柔軟な材質の部材で作る場合、端部をチューブ状に曲げ、湾曲が始まる部分と終わる部分を接着剤で付着するか裁縫することにより非常に容易に形成することができる。
【００６１】
チューブ状のホルディング部３０の長さ方向の両端部の中で少なくとも一端部には壁面の一部が除去されて形成されるスリット３１が備えられることができる。
【００６２】
前記スリット３１はチューブ状のホルディング部３０の入口が容易に広がるようにし、ホルディング部３０の内周面とタッチペンＰとの間の摩擦力を減らしてホルディング部３０にタッチペンＰを容易に挿入することができるようにする。
【００６３】
ホルディング部３０は延長部２０を基準として折り畳み可能であることが好ましい。
【００６４】
この場合、モバイル器機用ペンホルダーがより柔軟な形態を有することができるので、モバイル器機Ｍを使用する時、ホルディング部３０がモバイル器機Ｍが置かれた底面やモバイル器機ケースのカバー３と干渉することを防止することができる。
【００６５】
前述したように、ホルディング部３０はモバイル器機用ペンホルダーの他の部分と一体に天然皮などの柔軟な材質の部材からなることができ、柔軟な材質からなるホルディング部３０は延長部２０に対して自然に折り畳み可能である。
【００６６】
以下では、前記モバイル器機用ペンホルダーが適用されたモバイル器機ケースについて説明する。
【００６７】
本発明によるモバイル器機ケースはモバイル器機Ｍの枠部分に固定される本体２と、前記本体２の一側で本体２を基準として折り畳み可能に結合されるカバー３とからなる。モバイル器機ケースの表面にはペンホルダー１が固定されるが、前記ペンホルダー１はより詳しくはモバイル器機ケースの表面の中でもモバイル器機の辺縁で内方へ所定距離離隔された位置に固定される。
【００６８】
前記モバイル器機用ペンホルダー１はタッチペンＰが挿入されるホルディング部３０がモバイル器機の辺縁外側に位置し、モバイル器機ケースに対して固定された位置、即ち、固定部１０を基準として折り畳み可能であるので、モバイル器機Ｍを底面において使用する時や底面に対して所定の角度を有するように立てて使用する際にモバイル器機用ペンホルダーによってモバイル器機Ｍの使用が不便になることを防止することができる。
【００６９】
モバイル器機用ペンホルダーはモバイル器機ケースのカバー３部分に固定されることが好ましい。
【００７０】
この場合、カバー３を立体図形状に折ってモバイル器機を底面と所定の角度で支持させる時、モバイル器機用ペンホルダーが立体図形の内部に位置することができて、モバイル器機用ペンホルダーとモバイル器機ケースが干渉することを防止することができる。
【００７１】
モバイル器機ケースの本体２はモバイル器機Ｍの枠全体とモバイル器機Ｍの後面を囲むように形成することがモバイル器機Ｍを保護する側面で好ましいが、モバイル器機ケースとモバイル器機Ｍを互いに固定することができれば、モバイル器機の枠の一部分のみを囲むように形成されることもできる。
【００７２】
本発明の権利範囲は上述した実施例に限定されるのではなく、特許請求範囲内で多様な形態の実施例に具現されることができる。特許請求範囲で請求する本発明の要旨を逸脱することなく、当該発明が属する技術分野において通常の知識を有する者であれば誰でも変形可能な多様な範囲まで本発明の特許請求範囲に記載の範囲内にあるものとする。
【符号の説明】
【００７３】
１：モバイル器機用ペンホルダー
２：本体
３：カバー
１０：固定部  
１１：第２磁石
２０：延長部  
２１：第１磁石
２２：ソフト部  
２３：ハード部
２３ａ：ハード部材  
３０：ホルディング部
３１：スリット
【図１】
2021509849.tif 000003
【図２】
2021509849.tif 000004
【図３（ａ）】
2021509849.tif 000005
【図３（ｂ）】
2021509849.tif 000006
【図４】
2021509849.tif 000007
【図５（ａ）】
2021509849.tif 000008
【図５（ｂ）】
2021509849.tif 000009
【図６（ａ）】
2021509849.tif 000010
【図６（ｂ）】
2021509849.tif 000011
【国際調査報告】
2021509849.tif 000012
2021509849.tif 000013
2021509849.tif 000014
2021509849.tif 000015